(57)【要約】【課題】本発明は天井を加工したりする事なく手数がかからず、低コストで容易な作業でコンセントを吊下げる事ができる吊り下げ式コンセントを得るにある。【解決手段】吊り下げ具を一端部に設けた筒状の吊り下げ具本体と、この吊り下げ具本体の他端部の側面に形成した前面開口部と、この前面部開口部に位置する前記吊り下げ具本体の上下方向の側面に形成した２個の給電コード挿入孔と、この２個の給電コード挿入孔に挿入された、一端部にコンセントが設けられ、前記吊り下げ具本体内に挿入される。他端部に接続部が設けられた給電コードと、前記２個の給電コード挿入孔の下部側の給電コード挿入孔の両側部の前記吊り下げ具本体に設けられた供給電線挿入孔と、この供給電線挿入にそれぞれ挿入され、前記給電コードの接続部に接続される２個の供給電線とで吊り下げ式コンセントを構成している。【選択図】図１
2020072074.tif 000002
【特許請求の範囲】
【請求項１】
吊り下げ具を、一端部に設けた、筒状の吊り下げ具本体と、この吊り下げ具本体の他端部の側面に形成した前面開口部と、この前面開口部に位置する前記吊り下げ具本体の上下方向の側面に形成した２個の給電コード挿入孔と、この２個の給電コード挿入孔に挿入せれた一端部にコンセントが設けられ、前記吊り下げ具本体内に挿入される他端部に接続部が設けられた給電コードと、前記２個の給電コード挿入孔の下部側の給電コード挿入孔の両側部の前記吊り下げ具本体に設けられた、供給電線挿入と、この供給電線挿入孔にそれぞれ挿入され前記給電コードの接続部に接続される２個の供給電線からなることを、特徴とする吊り下げコンセント。
【請求項２】
吊り下げ具は、吊り下げ紐、木の枝、吊り下げ金具等が挿入できる穴で形成されていることを特徴とする請求項１記載の吊り下げ式コンセント。
【発明の詳細な説明】
【技術分野】
【０００１】本発明は壁面や天井面、ポール等コンセントの取付面がない所へ容易に取付けられることができる吊り下げ式コンセントに関する。
【背景技術】
【０００２】往来のコンセントの取付面がない壁面や天井面、ポール等にコンセントを取り付けるにはコンセントが先端部に取付られた電源コードの先端部寄りにロープやワイヤーを取付け、このロープやワイヤーを壁面や天井面、ポール等に取り付けたフックや保止具に取付けたり、あるいは天井にコードリールを取り付け、コード引き出し口を天井材に形成する天井コンセントが使用されている。【０００３】しかしながら、電源コードのコンセントが取付られた先端部にロープやワイヤーを取り付ける方法ではロープやワイヤーの取付やフックや保止具の取付に手数がかかるという欠点があった。
また、天井コンセントを使用す場合、あらかじめ天井部分に加工をしなければならず、大変な作業でコスト高になるという欠点があった。
【先行技術文献】
【特許文献】
【０００４】
【特許文献１】特開平９−１０２３５１号公報
【発明の概要】
【発明が解決しようとする課題】
【０００５】本発明は、以上のような従来の欠点を鑑み、天井を加工したりする事なく、手数がかからず、低コストで容易な作業でコンセントを吊り下げる事ができる吊り下げ式コンセントを提供する事を目的としている。【０００６】本発明の前記ならびに、そのほか目的と新規な特徴は、次の説明を添付図面と照らし合わせて読むと、より安全に明らかになるであろう。
ただし、図面はもっぱら解説の為のものであって、本発明の技術的範囲を限定するものではない。
【課題を解決するための手段】
【０００７】上記目的を達成する為に、本発明は吊り下げ具を一端部に設けた筒状の吊り下げ具本体と、この吊下げ具本体の他端部の側面に形成した前面開口部と、この前面開口部に位置する前記吊り下げ具本体の上下方向の側面に形成した２個の給電コード挿入孔と、この２個の給電コード挿入孔に挿入された一端部にコンセントが設けられ、前記吊り下げ具本体内に挿入される他端部に接続部が設けられた給電コードと、前記２個の給電用コード挿入孔の下部側の給電コード挿入孔の両端部の前記吊り下げ具本体に設けた供給電線挿入孔と、この供給電線挿入孔にそれぞれ挿入され、前記給電コードの接続部に接続される２個の供給電線とで吊り下げ式コンセントを構成している。
【発明の効果】
【０００８】以上の説明から明らかなように本発明にあっては次に列挙する効果が得られる。
（１）請求項１により、吊下げ具本体の一端部に吊下げ具を形成しているので、フェンスや木の枝にロープやワイヤーを吊下げ具に通す等の作業を行い、フェンスや木の枝に取付ることにより容易で短時間に取付る事が出来る。従ってコンセントを楽で短時間に取付る事ができるので気軽に必要な場所に設置する事が出来る。【０００９】（２）前記（１）によって、給電コードの接続が筒状の吊り下げ具本体によって覆われているので、安全に使用する事ができる。【００１０】（３）前記（１）によって、吊り下げ具本体より２個の供給電線が出ているので、容易に接続してコンセントを並設する事が出来る。【００１１】（４）前記（１）により、給電コードのコンセントは、吊り下げられ使用状態では、下方に向いているので、屋外でも安全に使用する事が出来る。【００１２】（５）請求２も前記（１）〜（４）と同様な効果が得られる。
【図面の簡単な説明】
【図１】本発明を実施する為の最良の第１の形態の正面図
【図２】本発明を実施する為の最良の第１の形態の側面図
【図３】図１の３−３線に沿う断面図
【図４】本発明を実施する為の最良の第１の形態のフェンスに取付けた状態の説明図
【図５】本発明を実施する為の最良の第１の形態の木の枝に電動虫殺し器に接続した状態の説明図
【図６】本発明を実施する為の最良の第１の形態のちょうちんに接続した状態の説明図
【図７】本発明を実施する為の最良の第１の形態の自動販売機に接続した状態の説明図
【図８】本発明を実施する為の第２の形態図の正面図
【図９】本発明を実施する為の第２の形態図の側面図
【図１０】図８の１０−１０線に沿う断面図
【発明を実施する為の最良の形態】
【００１３】以下、図面に示す本発明を実施する為の最良の形態により、本発明を詳細に説明する。
【００１４】図１ないし図７に示す本発明を実施する為の最良の第１の形態において１は、壁面や天井面ポール等のコンセントの取付面がない所へ容易に取付ける事が出来る本発明の吊り下げ式コンセントで、この吊り下げ式コンセント１は、ロープやワイヤーあるいはフック状の保止具が挿入する事が出来る挿入孔２が形成された吊り下げ具３を一端部に設けた合成樹脂材製の筒状の吊り下げ具本体４と、この吊り下げ具本体４の他端部の側面に形成した、略Ｕ字状の前面開口部５と、この前面開口部５に位置する前記吊り下げ具本体４の上下向の側面に形成した２個の給電コード挿入孔６，７と、この２個の給電用コード挿入孔６，７に挿入された一端にコンセント８が設けられ、前記吊り下げ具本体４内に挿入される他端部に接続部９，１０，１１が設けられた給電用コード１２と、前記２個の給電用コード挿入孔６．７の下部側の給電用コード挿入孔７の両側部の前記吊り下げ具本体４に設けられた、供給電線挿入孔１３，１４とこの供給電線挿入孔１３，１４にそれぞれ挿入された前記給電コード１２の接続部９，１０，１１に接続される２個の供給電線１５，１６とで構成されている。
【００１５】  このように構成された吊り下げ式コンセント１は、図４に示すように、電気自動車１７に充電する所に使用する場合、フェンス１８に所定間隔で吊り下げ具本体４，４，４の吊り下げ具３の挿入孔２にロープやワイヤー１９を通してフェンス１８に結び付けて固定すると共に、各吊り下げ具本体４，４，４より出ている供給電線１５，１５，１５，１５，１５を接続し、一端部の供給電線１５を電源が供給される電線２０に接続することにより、吊り下げ式コンセント１のコンセント８に電気自動車１７の差し込みを差し込む事により充電を行う事が出来る。
【００１６】また、図５に示すように、木２１の枝２２に吊り下げ具本体４の吊り下げ具３を、ロープやワイヤー１９で取付、該木２１枝２２に取付けた電動虫殺し器２３の差し込みコード２４と、給電コード１２のコンセント８を接続する事により、電動虫殺し器２３を野外でも作動させる事が出来る。
【００１７】さらに、図６に示すように木２１の枝２２にちょうちん２５を取り付けて、前記電動虫し殺し器２３のように接続することにより同様に、ちょうちん２５を点灯させて使用することが出来る。
【００１８】また図１７に示すように、フェンス１８の近辺に設置した自動販売機２６には、図４と同様に吊り下げ具本体４を取付け、給電コード１２のコンセント８を前記自動販売機２６接続コード２７と接続する事により使用する事が出来る。
【００１９】なお、吊り下げ式コンセント１をベランダの手すり等に吊り下げ具３の挿入孔２を用いてロープやワイヤーで取付たり、室内の壁又や柱に取付られたフック等に直接あるいは、ロープやワイヤーを用いて取付、室内等で使用できるようにしてもよい。
【００２０】
【発明を実施する為の異なる形態】
【００２１】  次に、図８ないし図１０に示す本発明を実施する為の異なる形態につき説明する。
なお、この本発明を実施する為の異なる形態の説明に当たって前記本発明を実施する為の第１の形態と同一構成部分には同一符号を付して重複する説明を省略する。
【００２２】  図８ないし図１０に示す本発明を実施する為の第２の形態において前記本発明を実施する為の第１の形態と主に異なる点は、給電コード１２Ａの下部が下端部にコンセント８，８が設けられ２又となる給電コード１２Ａを用いた点で、このような給電コード１２Ａを用いた吊り下げ式コンセント１Ａにしても前記本発明の第１の実施の形態と同様な作用効果が得られるとともに、１個で２箇所へ電気を供給する事が出来る。
【産業上の利用可能性】
【００２３】  本発明は、コンセントを吊り下げて使用する産業で利用される。
【符号の説明】  １：吊り下げ式コンセント、
１Ａ：吊り下げ式コンセント、
２：挿入孔、
３：吊り下げ具、
４：吊り下げ具本体、
５：前面開口部、
６：給電コード挿入孔、
７：給電コード挿入孔、
８：コンセント、
９：接続部、
１０：接続部、
１１：接続部、
１２：給電コード、
１２Ａ：給電コード、
１３：供給電線挿入孔、
１４：給電電線挿入孔、
１５：供給電線、
１６：供給電線、
１７：電気自動車、
１８：フェンス、
１９：ロープやワイヤー、
２０：電線、
２１：木、
２２：枝、
２３：電動虫殺し器、
２４：差し込みコード、
２５：ちょうちん、
２６：自動販売機、
２７：接続コード。
【図１】
2020072074.tif 000003
【図２】
2020072074.tif 000004
【図３】
2020072074.tif 000005
【図４】
2020072074.tif 000006
【図５】
2020072074.tif 000007
【図６】
2020072074.tif 000008
【図７】
2020072074.tif 000009
【図８】
2020072074.tif 000010
【図９】
2020072074.tif 000011
【図１０】
2020072074.tif 000012